(57)【要約】【課題】簡単な構造によって縦枠の取付縁の屋外側の形状に拘わらず、縦枠全体の屋外側の側面形状を平面状にすることができるサッシの縦枠構造。【解決手段】建物の窓開口部に装着された窓枠内に引き違い障子を摺動自在に支持したサッシにおいて、上記縦枠１２を、縦枠本体２５と、該縦枠本体２５の建物躯体に取り付けるための取付縁２４ａを屋外側から覆うカバー枠２６とに分割する分割構成とし、上記カバー枠を２６上記縦枠本体２５に対して窓開口部１５の屋外側から係止固定可能に形成した。【選択図】　　　　図４
2004124408.tif 000002
【特許請求の範囲】
【請求項１】
建物の窓開口部に装着された窓枠内に引き違い障子を摺動自在に支持したサッシにおいて、
上記縦枠を、縦枠本体と、該縦枠本体の建物躯体に取り付けるための取付縁を屋外側から覆うカバー枠とに分割する分割構成とし、上記カバー枠を上記縦枠本体に対して窓開口部の屋外側から係止固定可能に形成した
ことを特徴とするサッシの縦枠構造。
【発明の詳細な説明】
【０００１】
【発明の属する技術分野】
本発明は、建物の窓開口部に装着された窓枠内に１対の引き違い障子を摺動自在に支持したサッシにおいて、その縦枠全体の屋外側の側面形状をうまく処理できるようにしたサッシの縦枠構造に関する。
【０００２】
【従来技術とその問題点】
従来から、開口部に装着されるアルミニウム製金属枠と該金属枠の屋内側に配置された樹脂枠とを備えた窓枠内に、屋内側の内障子と屋外側の外障子からなる１対の引き違い障子を摺動自在に支持した複合サッシが普及している。その中で、窓枠の縦枠として、屋外側外方に面する部位に凹凸が形成されているものが知られている（例えば、特許文献１参照）。
【０００３】
窓枠を建物の窓開口部の内側に収納固定する場合、上下枠と左右の縦枠から外方に取付縁を突出形成し、これらの取付縁を建物の躯体の屋外面に固定するのであるが、固定した後は窓枠の縦枠の屋外側外方には外壁の仕上げが施されることになる。したがって、屋外側外方に面する部位に凹凸が形成されていると、外観上問題があるとともに、外壁材の端部の処理が面倒になる。上述の特許文献１においても、縦枠２４の屋外側外方部位、つまり取付縁の屋外側には凹部が形成されているので、凹部内に調整部材を埋めこんで屋外側の側面形状を平面状に整え、このように整えられた屋外側の側面に外壁の仕上げ処理が施されている。
【０００４】
【特許文献１】
特開２００２−１８０７５１号公報（図３）
【０００５】
【発明が解決しようとする課題】
しかしながら、縦枠に調整部材を埋めこむ作業は煩雑であり、また、外部に露出すると外観が損なわれるという問題があった。
【０００６】
本発明は、上記問題点を解消し、簡単な構造によって縦枠の取付縁の屋外側の形状に拘わらず、縦枠全体の屋外側の側面形状を平面状にすることができるサッシの縦枠構造を提供することをその課題とする。
【０００７】
【課題を解決するための手段】
前記課題を解決するため、本発明に係るサッシの縦枠構造は、建物の窓開口部に装着された窓枠内に引き違い障子を摺動自在に支持したサッシにおいて、上記縦枠を、縦枠本体と、該縦枠本体の建物躯体に取り付けるための取付縁を屋外側から覆うカバー枠とに分割する分割構成とし、上記カバー枠を上記縦枠本体に対して窓開口部の屋外側から係止固定可能に形成したことを特徴とする。
【０００８】
【発明の実施の形態】
図１は本発明に係る窓サッシの正面図、図２は図１のＸ−Ｘ線上の拡大断面図であり、図３は同じくＹ−Ｙ線上の拡大断面図である。
【０００９】
図１〜図３において符号１は窓枠を示す。この窓枠１は建物の開口部の外側に取り付けられ、内側に内障子２と外障子３とからなる１対の引き違い障子を摺動自在に収納している。
【００１０】
窓枠１と障子２、３はそれぞれ金属部と樹脂部とから構成され、全体として複合サッシを構成している。
【００１１】
内障子２、外障子３の上框５、下框６及び左右の縦框７は、それぞれアルミニウム又はその合金から成る金属部ａと、金属部ａの屋内側に添設されたポリ塩化ビニル等の樹脂部ｂとを一体的に結合してなるもので、内障子２、外障子３は閉じた状態（図１の状態）で屋内に面する部分はガラス部分を除き全て樹脂部ｂによって構成されている。また、屋外側の障子２、３の召し合せ框の外側縁は金属部ａで形成されているので、屋外に面する部分には全て金属部ａが露出している。なお、各障子の内側にはペアガラス８が装着されている。
【００１２】
次に、窓枠１は上枠１０と下枠１１と左右の縦枠１２とを方形に枠組みして成るもので、上記各枠部材もアルミニウム又はその合金製の金属枠とポリ塩化ビニル等の樹脂枠とからなる複合サッシ材である。
【００１３】
上枠１０は上部の金属枠１０ａと下部の樹脂枠１０ｂとを一体に結合したもので、金属部ａの取付縁１３と樹脂枠１０ｂの屋内側の取付縁１４を窓開口部１５の上部材１５ａにネジ止めすることにより固定されている。
【００１４】
下枠１１は金属枠１１ａの上面の一部に樹脂枠１１ｂを一体に結合したもので、金属枠１１ａは、建物躯体の窓開口部１５の下部材１５ｂの外側面に取り付けられる取付縁１６と、取付縁１６の屋外側に突出する中空部１８と、中空部１８の上方に突出した網戸レール１９と２本の障子用内レール２０と外レール２１とから成っている。これに対し、樹脂枠１１ｂは、屋内側の内レール２０の屋内側全長に配設され、屋内側には、窓開口部１５の下部材１５ｂの上面に固定するための取付縁２２が形成されている。
【００１５】
なお、下枠１１は２つの取付縁１６、２２を窓開口部１５の下部材１５ｂの外側面と上面にネジ止めすることにより固定されている。
【００１６】
縦枠１２は金属枠１２ａの屋内側に面する部位に樹脂枠１２ｂを一体に結合したもので、縦枠１２は取付縁２４、２４ａを窓開口部１５の側部材１５ｃの外側面にネジ止めすることにより固定されている。
【００１７】
ところで、金属製縦枠１２ａは、縦枠本体２５と、該縦枠本体２５の建物躯体に取り付けるための取付縁２４ａを屋外側から覆うカバー枠２６とから分割構成されている。
【００１８】
縦枠本体２５は、図４（ａ）（ｂ）に示されるように、基板部２５ａの内方に網戸の案内縁２７と障子の案内縁２８とを形成するとともに、屋内側端部には内方に屈曲する屈曲部２９が形成され、基板部２５ａの略中間部の外方には直角に建物躯体に対する取付縁２４ａを突出するとともに、その外方端部から屋外側に直角の屈曲縁３０が形成されている。この屈曲縁３０の先端には屋外側に開口する係止溝３１が形成されている。また、上記取付縁２４ａの屋内側には金具嵌合溝３２が形成され、屋外側には中空部３３が形成され、取付縁２４ａの屋外側端部からは直角に係止縁３４が形成されている。
【００１９】
このように、縦枠本体２５の屋外側外方には取付縁２４ａのほかに中空部３３や係止縁３４が形成され、凹凸のある形状となっている。
【００２０】
カバー枠２６は断面略Ｌ字形に形成され、屋外側に面する第１の縁３５と屋外側の外方に面する第２の縁３６とから構成されている。第１の縁３５の幅は、上記基板部２５ａの取付縁よりも屋外側の幅から取付縁２４の先端の屈曲部２９の幅を引いた寸法と同じで、第２の縁３６の幅は、上記取付縁２４の幅と同じに形成されている。また、第１の縁３５の先端には屋内側に段違いに開口する係止溝３７が形成されている。さらに、第２の縁３６の先端は屋内側に屈曲されて係止部３８が形成されている。
【００２１】
次に、カバー枠２６は、上記縦枠本体２５の屋外側外方に面する部位、つまり建物躯体に取り付けるための取付縁２４ａを屋外側から覆う部位に装着されている。この場合、図４（ａ）に示されるように、窓開口部１５の屋外側から第２の縁３６の先端の係止部３８の先端を縦枠本体２５の屈曲縁３０の係止溝３１に係止させた後、同図（ｂ）に示されるように、カバー枠２６を上記係止部を中心に回動させ、第１の縁３５の係止溝３７に縦枠本体２５の係止縁３４を係止させればよい。これにより、カバー枠２６は縦枠本体２５に係止固定され、上下にスライドさせない限りは外側から外すことができなくなるとともに、縦枠本体２５の取付縁２４ａの屋外側部分を覆い、またカバー枠２６と縦枠本体２５とにより方形の中空部３９が形成される。
【００２２】
前記構成によれば、それぞれ金属部ａと樹脂部ｂとを結合してなる複合サッシ材により窓枠１と障子２、３とから引き違い窓が形成され、しかもこの引き違い窓は、窓枠１の上枠１０の下面及び屋内に対面する部位と、下枠１１の上面でかつ上記障子２、３が閉じた状態で屋内に対面する部位と、縦枠１２の屋内側の側面でかつ上記障子２、３が閉じた状態で屋内に対面する部位及び屋内に対面する部位とには、それぞれ樹脂枠１０ｂ、１１ｂ、１２ｂが配置され、また障子２、３の框の屋内に面する部位に樹脂部ｂが配置されている。要するに、障子２、３を閉じた状態で屋内に面する部位はほとんど樹脂部ｂによって構成されている。したがって、障子２、３を閉じた状態で外気温は屋内側に対し有効に断熱されるから、トータルとしての断熱性に優れ、結露も有効に防止することができる。
【００２３】
また、縦枠１２については、その取付縁２４ａの屋外側の形状に拘わらず、カバー枠２６により縦枠全体の屋外側の側面形状を平面状にすることができるので、窓枠１を建物躯体に取りつけた後に外壁４０の仕上げ処理をする場合も、従来のように凹部内に調整部材を埋めこむという作業が不要となるので、外壁工事も迅速に行なうことができる。
【００２４】
また、カバー枠２６は縦枠本体２５に対して窓開口部１５の屋外側から係止固定することができるので、ビス止め作業が不要である。また、カバー枠２６は前後左右へのずれを十分に防止できる程度に固定できる。
【００２５】
なお、窓枠は予め工場で組み立てられる。上記カバー枠２６は予め工場で組み付けておいてもよく、また施工現場で組み付けてもよい。
【００２６】
また、上記窓枠１は図のように従来の木造軸組み工法による建物の開口部に取り付けてもよいが、鉄骨構造の建物の開口部に取り付けてもよい。特に、図５のように、鉄骨フレームに複合サッシを組み付けてワンユニットとする場合、縦枠１２の取付縁２４ａの屋外側はカバー枠２６によって覆われるので、上記取付縁２４ａを鉄骨フレーム４０に固定するネジ４１の頭部が外部に露出することがなく、外観が良好となる。なお、４２は建物躯体の壁ユニットであり、４３は目地シールである。さらに、上記縦枠構造は必ずしも複合サッシに限定されない。通常のサッシにも適用することができる。
【００２７】
【発明の効果】
請求項１に係る発明によれば、縦枠を縦枠本体とカバー枠とから分割構成し、縦枠の取付縁の屋外側の形状に拘わらず、縦枠全体の屋外側の側面形状を平面状にすることができるので、窓枠を建物躯体に取りつけた後に外壁の仕上げ処理する場合も、従来のように凹部内に調整部材を埋めこむという作業が不要となるので、外壁工事も迅速に行なうことができる。
【００２８】
カバー枠は縦枠本体に対して窓開口部の屋外側から係止固定することができるので、ビス止め作業が不要である。また、カバー枠は前後左右へのずれを十分に防止できる程度に固定できる。
【００２９】
また、窓枠を建物躯体に取りつけた後に外壁の仕上げ処理する場合も、従来のように凹部内に調整部材を埋めこむという作業が不要となるので、外壁工事も迅速に行なうことができる。
【図面の簡単な説明】
【図１】本発明に係る窓サッシの正面図
【図２】図１のＸ−Ｘ線上の拡大断面図
【図３】図１のＹ−Ｙ線上の拡大断面図
【図４】（ａ）（ｂ）はカバー枠の取付態様説明図
【図５】上記窓サッシを鉄骨構造の建物の開口部に取りつけた場合の横断面図
【符号の説明】
１　窓枠
１２　縦枠
２４ａ　取付縁
２５　縦枠本体
２６　カバー枠
【図１】
2004124408.tif 000003
【図２】
2004124408.tif 000004
【図３】
2004124408.tif 000005
【図４】
2004124408.tif 000006
【図５】
2004124408.tif 000007